(57)【要約】【課題】コネクタ本体の基板への取り付け作業を基板の表側だけで簡単に行えるとともに、部品点数が少なく、しかも、必要部品がコネクタ本体に全て組み込まれていることにより、部品取り扱いも容易で、ＡＴＣＡ規格に準拠したコネクタとするのに好適なコンプレッション型コネクタを提供する。【解決手段】コネクタ本体２に、その上面に開口してタッピングねじ８の頭部８ｂを受け入れるねじ回し用凹部５が形成されているとともに、このねじ回し用凹部５の底面からコネクタ本体２の下面に抜けるねじ孔７が設けられ、タッピングねじ８が、その雄ねじ部８ａをこのねじ孔７に螺合させ、頭部８ｂをねじ回し用凹部５内に位置させた状態でコネクタ本体２内に組み込まれている。タッピングねじ８を、その頭部８ｂがねじ回し用凹部５の底面に達するまで螺進させて基板９にねじ込むことにより、コネクタ本体２を基板９上に固定できる。【選択図】図４
2008159306.tif 000002
【特許請求の範囲】
【請求項１】
コネクタ本体の下面から突出する端子群を基板のパッド群に押し付けてコネクタ本体を基板上に固定するコンプレッション型コネクタにおいて、前記コネクタ本体に、その上面に開口してタッピングねじの頭部を受け入れるねじ回し用凹部が形成されているとともに、このねじ回し用凹部の底面からコネクタ本体の下面に抜けるねじ孔が設けられ、タッピングねじが、その雄ねじ部をこのねじ孔に螺合させ、頭部を前記ねじ回し用凹部内に位置させた状態でコネクタ本体内に組み込まれており、該タッピングねじを、その頭部がねじ回し用凹部の底面に達するまで螺進させて前記基板にねじ込むことにより、コネクタ本体を基板上に固定できるようになっていることを特徴とするコンプレッション型コネクタ。
【請求項２】
ねじ回し用凹部の底面に、タッピングねじの頭部と嵌合する嵌合凹部が形成されていることを特徴とする請求項１に記載のコンプレッション型コネクタ。
【請求項３】
コネクタ本体の下面に、基板側の位置決め孔に嵌入する位置決めピンが突設されていることを特徴とする請求項１又は２に記載のコンプレッション型コネクタ。
【発明の詳細な説明】
【技術分野】
【０００１】
本発明は、通信機器等の組込ボード等を接続するためのコネクタ、特に、コネクタ本体の下面から突出する端子群を基板のパッド群に押し付けてコネクタ本体を基板上に固定するコンプレッション型コネクタに関する。
【背景技術】
【０００２】
ＰＣＩベースの産業用組込ボードや関連製品の利用を促進するために設立された業界団体であるＰＩＣＭＧ（PCI Industrial Computer Manufacturers Group）は、通信機器のための新しい標準規格として、ＡＴＣＡ規格（Advanced Telecom Computing Architecture）を策定し、その中でＡＭＣ（Advanced Mezzanine Card）が定義されている。
【０００３】
これに準じたコンプレッション型コネクタとして、従来、図１に示すような構造のものが提案されている。
【０００４】
この従来のコンプレッション型コネクタ１００では、コネクタ本体１０１のボード差し込みスロット１０２内に、バネ性を有する一組のコンタクト群１０３Ａ・１０３Ｂが対向して配設されている。これらコンタクト群１０３Ａ・１０３Ｂは、その一部分をコネクタ本体１０１に埋設して、一端部１０３ａ・１０３ｂのみをコネクタ本体１０１の下面より突出させ、また、ボード差し込みスロット１０２内では、ここに差し込まれるボード１０４を挟持してその端子と接続するため、互いに内側に湾曲させてある。
【０００５】
このコネクタ１００を基板１０５に取り付けるには、同図（Ａ）及び（Ｂ）に示すように、コネクタ本体１０１の下面に突設された位置決めピン１０６を基板１０５側の位置決め孔（図示せず）に嵌合させてコネクタ本体１０１を基板１０５上に位置決めしてから、同図（Ｃ）及び（Ｄ）に示すように、基板１０５の裏面に補強板であるスティフナ１０７を当て、このスティフナ１０７も固定するように、スティフナ１０７及び基板１０５を通じて止めねじ１０８をコネクタ本体１０１までねじ込む。これによりコネクタ本体１０１は、コンタクト群１０３Ａ・１０３Ｂの一端部１０３ａ・１０３ｂを基板１０５上のパッド群（図示せず）に押し付けた状態で基板１０５上に固定される。
【０００６】
このようにして基板１０５上に固定したコネクタ本体１０１のボード差し込みスロット１０２にボード１０４を差し込むと、ボード１０４はコンタクト群１０３Ａ・１０３Ｂを介して基板１０５側と電気接続される。
【０００７】
しかし、この従来例によると、基板１０５への取り付け作業が、基板１０５の表裏両側で必要であるため、作業性が悪い。また、コネクタ本体１０１以外の部品として、これと分離した止めねじ１０８、及びスティフナ１０７が必要であるため、部品管理が面倒である。
【０００８】
これ以外に、特許文献１（特開２００１−２４４０２７号公報）には、回路基板間に挟着されて両回路基板の導電接続を行うタイプのコンプレッションコネクタが開示されているが、これは、コネクタ本体であるハウジングの両面に、係止部を有する基板ロック部を一体に樹脂成形し、この基板ロック部にて両側の回路基板をロックするもので、コネクタ本体を基板にねじ止めする構造となる本発明とは基本的に異なる。
【特許文献１】特開２００１−２４４０２７号公報
【発明の開示】
【発明が解決しようとする課題】
【０００９】
本発明の課題は、コネクタ本体の基板への取り付け作業を基板の表側だけで簡単に行えるとともに、部品点数が少なく、しかも、必要部品がコネクタ本体に全て組み込まれていることにより、部品取り扱いも容易で、ＡＴＣＡ規格に準拠したコネクタとするのに好適なコンプレッション型コネクタを提供することにある。
【課題を解決するための手段】
【００１０】
請求項１に係る本発明は、コネクタ本体の下面から突出する端子群を基板のパッド群に押し付けてコネクタ本体を基板上に固定するコンプレッション型コネクタであって、コネクタ本体に、その上面に開口してタッピングねじの頭部を受け入れるねじ回し用凹部が形成されているとともに、このねじ回し用凹部の底面からコネクタ本体の下面に抜けるねじ孔が設けられ、タッピングねじが、その雄ねじ部をこのねじ孔に螺合させ、頭部をねじ回し用凹部内に位置させた状態でコネクタ本体内に組み込まれており、該タッピングねじを、その頭部がねじ回し用凹部の底面に達するまで螺進させて基板にねじ込むことにより、コネクタ本体を基板上に固定できるようになっていることを特徴とする。
【００１１】
請求項２に係る本発明は、上記の構造において、ねじ回し用凹部の底面に、タッピングねじの頭部と嵌合する嵌合凹部が形成されていることを特徴とする。
【００１２】
請求項３に係る本発明は、上記の構造において、コネクタ本体の下面に、基板側の位置決め孔に嵌入する位置決めピンが突設されていることを特徴とする。
【発明の効果】
【００１３】
本発明のコンプレッション型コネクタによると、コネクタ本体のねじ回し用凹部からタッピングねじを回してこれを基板にねじ込むだけで、コネクタ本体を基板に固定できるので、その取り付け作業を基板の表側だけで簡単に行える。従来のように、基板の裏側を補強するためのスティフナが不要になるとともに、タッピングねじはコネクタ本体内に組み込まれているので、部品点数が少なく、部品取り扱いも容易である。
【００１４】
請求項２に係る発明によると、ねじ回し用凹部の底面に形成された嵌合凹部にタッピングねじの頭部を嵌合させることができるので、タッピングねじによるねじ止めを安定して強固に行える。
【００１５】
請求項３に係る発明によると、コネクタ本体の下面に突設された位置決めピンを、基板側の位置決め孔に嵌入させることにより、コネクタ本体の下面から突出する端子群を基板のパッド群に的確に押し付けることができる。
【発明を実施するための最良の形態】
【００１６】
次に、本発明の実施例を図面に基づいて詳細に説明する。
【実施例】
【００１７】
図２に本実施例のコンプレッション型コネクタ１を示す。このコネクタ１のコネクタ本体２には、図示していないが、ボード差し込みスロットが形成されており、ここにボードを差し込むと、ボード側の端子群がコネクタ本体２の下面に突出している端子群３と電気接続される構造になっている。コネクタ本体２の下面には、端子群３の両端近くに位置決めピン４も突設されている。
【００１８】
コネクタ本体２の両端部には、その上面に開口する円形のねじ回し用凹部５が形成され、また各ねじ回し用凹部５の底面には、それよりも小径の円形である嵌合凹部６が形成され、さらにこの嵌合凹部６の中央からコネクタ本体２の下面に抜けるねじ孔７が設けられている。
【００１９】
そして、各ねじ孔７にタッピングねじ８の雄ねじ部８ａが途中まで螺合され、タッピングねじ８の頭部８ｂは、嵌合凹部６まで達しないで、ねじ回し用凹部５内に位置している。従って、タッピングねじ８は、コネクタ本体２の両端部に埋設された状態で組み込まれている。
【００２０】
このコネクタ１を基板９に固定するには、図３に示すように、位置決めピン４を、基板９に設けられている位置決め孔１０に嵌入させてコネクタ本体１を基板９上に位置決めし、ねじ回し用凹部５を通じてタッピングねじ８を回して、基板９に設けられているねじ付き又はねじ無しのコネクタ取付孔１１にねじ込む。
【００２１】
図４に示すように、タッピングねじ８を、その頭部８ｂが嵌合凹部６に嵌合するまでねじ込むと、コネクタ本体２は基板９上にしっかりとねじ止めされ、コネクタ本体２の下面に突出している端子群３は、基板９の上面（表面）に設けられている図示しないパッド群に的確に押し付けられて電気接続される。
【図面の簡単な説明】
【００２２】
【図１】従来例の断面図で、（Ａ）はコネクタ本体を基板に取り付ける以前の状態。（Ｂ）はコネクタ本体を基板上に位置決めした状態、（Ｃ）は、基板の裏側からスティフナを止めねじにて止める以前の状態、（Ｄ）は、止めねじにて基板の裏側にスティフナをねじ止めすると同時に、表側でコネクタ本体をねじ止めした状態、（Ｅ）は、コネクタ本体のボード差し込みスロットにボードを差し込む以前の状態、（Ｆ）はボードを差し込んだ状態である。
【図２】本発明の一実施例のコンプレッション型コネクタの断面図である。
【図３】同コネクタのコネクタ本体を基板上に位置決めした状態の断面図である。
【図４】コネクタ本体を基板上にねじ止めした状態の断面図である。
【符号の説明】
【００２３】
１  コンプレッション型コネクタ
２  コネクタ本体
３  端子群
４  位置決めピン
５  ねじ回し用凹部
６  嵌合凹部
７  ねじ孔
８  タッピングねじ
８ａ  雄ねじ部
８ｂ  頭部
９  基板
１０  位置決め孔
１１  コネクタ取付孔
【図１】
2008159306.tif 000003
【図２】
2008159306.tif 000004
【図３】
2008159306.tif 000005
【図４】
2008159306.tif 000006